(57)【要約】【課題】  屋外に設置され、強風を受けても、制御用移動ケーブルが昇降路機器等に引掛らないようにした昇降機用移動ケーブルの引掛り防止装置を得る。【解決手段】  昇降路２内を昇降移動するかご１と、昇降路壁の途中に設けられた繋ぎ箱３と、繋ぎ箱とかごとの間に連結接続され、かごの昇降移動に伴って移動する制御用移動ケーブル４と、昇降路底部のピット２ａと繋ぎ箱との間の全長に亘って垂直に張られた固定ワイヤー５と、固定ワイヤーに上下方向に移動可能に連結された案内リング６と、制御用移動ケーブル４と案内リング６にそれぞれ移動可能に連結された摺動リング７とを備える。【選択図】    図３
2005162372.tif 000002
【特許請求の範囲】
【請求項１】
昇降路内を昇降移動するかごと、
昇降路壁の途中に設けられた繋ぎ箱と、
前記繋ぎ箱と前記かごとの間に連結接続され、前記かごの昇降移動に伴って移動する制御用移動ケーブルと、
前記昇降路底部のピットと前記繋ぎ箱との間の全長に亘って垂直に張られた固定ワイヤーと、
前記固定ワイヤーに上下方向に移動可能に連結された案内リングと、
前記制御用移動ケーブルと前記案内リングにそれぞれ移動可能に連結された摺動リングと、
を備えたことを特徴とする昇降機用移動ケーブルの引掛り防止装置。
【請求項２】
摺動リングは、円形の金属芯線と、この金属芯線に挿通されて遊嵌された多数の金属性丸ワッシャーとで構成したことを特徴とする請求項１記載の昇降機用移動ケーブルの引掛り防止装置。
【請求項３】
案内リングは長円形であり、その直線部に、回転させることにより軸方向に移動して案内リングに開口部を形成する連結具を設けたことを特徴とする請求項１又は請求項２記載の昇降機用移動ケーブルの引掛り防止装置。
【請求項４】
固定ワイヤーは、昇降路壁との間に若干の隙間を持たせて配置したことを特徴とする請求項１〜請求項３のいずれかに記載の昇降機用移動ケーブルの引掛り防止装置。
【発明の詳細な説明】
【技術分野】
【０００１】
この発明は、昇降機用移動ケーブルの引掛り防止装置に関するものである。
【背景技術】
【０００２】
屋外に設置される昇降機のかごの下部と、昇降路のジョイントボックスとの間を連結接続するために配置される制御用移動ケーブルは、強風が吹くと、横に揺れ易いため昇降路機器等に引掛り易いという問題がある。
また、従来のエレベータ移動ケーブルにおいては、異なった動特性をもつ２種類のケーブルをクリップと案内リングからなる連結具によって連結することにより、２種類のケーブルを良好な状態で運行可能とするものがある（例えば、非特許文献１参照）。更には、エレベータ制御用ケーブルにおけるケーブルの膨らみによる昇降路壁や乗りかごとのぶつかり、こすれを防止するために、ケーブルに重りをつけることにより、膨らみを矯正し、省スペースにて昇降路壁、乗りかごとのぶつかり、こすれが生じない安定したケーブルの昇降動作が可能となるものがある（例えば、非特許文献２参照）。
【０００３】
【非特許文献１】発明協会公開技報公技番号９８−２９３７号
【非特許文献２】発明協会公開技報公技番号９９−８０２９号
【発明の開示】
【発明が解決しようとする課題】
【０００４】
従来の昇降機用移動ケーブルの引掛り防止装置では、移動ケーブルの折り返し下端部にドラムを取り付ける方式があるが、構造が複雑であり、しかも重量が重くコストも高いという問題があった。また、非特許文献１及び２に記載記載された技術は、いずれも屋外に設置されて、強風を受け易い昇降機用移動ケーブルの引掛り防止装置としては、効果上の面から採用はし難いものであった。
【０００５】
この発明は、上述のような課題を解決するためになされたもので、第１の目的は、屋外に設置され、強風を受けても、制御用移動ケーブルが昇降路機器等に引掛らないようにした昇降機用移動ケーブルの引掛り防止装置を提供するものである。
【課題を解決するための手段】
【０００６】
この発明に係る昇降機用移動ケーブルの引掛り防止装置は、昇降路内を昇降移動するかごと、昇降路壁の途中に設けられた繋ぎ箱と、繋ぎ箱とかごとの間に連結接続され、かごの昇降移動に伴って移動する制御用移動ケーブルと、昇降路底部のピットと繋ぎ箱との間の全長に亘って垂直に張られた固定ワイヤーと、固定ワイヤーに上下方向に移動可能に連結された案内リングと、制御用移動ケーブルと案内リングにそれぞれ移動可能に連結された摺動リングとを備えたものである。
【０００７】
また、摺動リングは、円形の金属芯線と、この金属芯線に挿通されて遊嵌された多数の金属性丸ワッシャーとで構成したものである。
【０００８】
また、案内リングは長円形であり、その直線部に、回転させることにより軸方向に移動して案内リングに開口部を形成する連結具を設けたものである。
【０００９】
また、固定ワイヤーは、昇降路壁との間に若干の隙間を持たせて配置したものである。
【発明の効果】
【００１０】
この発明は、昇降路内を昇降移動するかごと、昇降路壁の途中に設けられた繋ぎ箱と、繋ぎ箱とかごとの間に連結接続され、かごの昇降移動に伴って移動する制御用移動ケーブルと、昇降路底部のピットと繋ぎ箱との間の全長に亘って垂直に張られた固定ワイヤーと、固定ワイヤーに上下方向に移動可能に連結された案内リングと、制御用移動ケーブルと案内リングにそれぞれ移動可能に連結された摺動リングとを備えたので、例えば、屋外に設置されて、制御用移動ケーブルが強風を受けても、昇降路壁や昇降路機器等にぶつかったり、こすれたり、引っ掛ったりすることがないという効果がある。
【００１１】
また、摺動リングは、円形の金属芯線と、この金属芯線に挿通されて遊嵌された多数の金属性丸ワッシャーとで構成したので、多数の金属製丸ワッシャー７ｂが摺動しながら回転して、制御用移動ケーブル４を極めて円滑に昇降移動させることができる。
【００１２】
また、案内リングは長円形であり、その直線部に、回転させることにより軸方向に移動して案内リングに開口部を形成する連結具を設けたので、固定ワイヤー、制御用移動ケーブルへの装着を容易にすることができる。
【００１３】
また、固定ワイヤーは、昇降路壁との間に若干の隙間を持たせて配置したので、設置スペースを小さくすることができる。
【発明を実施するための最良の形態】
【００１４】
実施の形態１．
図１及び図２はこの発明の実施の形態１における昇降機用移動ケーブルの引掛り防止装置の構成を示す側面図であり、図１は昇降機のかごが下方に位置している場合、図２は昇降機のかごが上方に位置している場合を示す。図３はこの発明の実施の形態１における昇降機用移動ケーブルの引掛り防止装置の拡大斜視図、図４は引掛り防止装置の要部拡大斜視図である。
【００１５】
図１、図２において、１は屋外等に設置され、強風に曝されることがあるエレベータのかごであり、一般に仮設用ゴンドラと呼ばれる仮設かごであっても、本設用のかごであっても良い。２はエレベータの昇降路、３は昇降路の途中の側壁に設けられた繋ぎ箱（ジョイントボックス）であり、この繋ぎ箱の上方部に設けられた機械室（図示せず）等に設置される制御盤（図示せず）と電気的に接続されるものである。４は上記繋ぎ箱３と上記かご１の下部との間を連結接続するために吊り下げられて配置された制御用移動ケーブルであり、強風が吹くと、横に揺れ易いものである。５は昇降路２底部のピット２ａと繋ぎ箱３下部との間の全長に亘ってほぼ垂直に張られた金属製固定ワイヤーであり、昇降路２壁との間に若干の隙間を持たせて配置されている。６は垂直の金属製固定ワイヤー５をその環内に挿入した長円形の案内リングであり、金属製固定ワイヤー５に沿って上下方向に自由に移動が可能なものである。６ａは長円形の案内リング６の途中の直線部に設けられた連結具であり、回転させることにより、軸方向に移動して案内リング６の一部に開口部を形成し、金属製固定ワイヤー５等への装着を容易にするものである。７は上記制御用移動ケーブル４及び案内リング６をその環内に挿入した円形の摺動リングであり、円形の金属芯線７ａと、この金属芯線に挿通されて遊嵌された多数の金属性丸ワッシャー７ｂとから構成されている。上記金属製固定ワイヤー５、案内リング６及び摺動リング７により引掛け防止装置が構成されている。
【００１６】
このように構成されたエレベータ用移動ケーブルの引掛り防止装置は、かごが上下方向に昇降移動すると、それに伴って制御用移動ケーブル４も昇降移動する。制御用移動ケーブル４の下端部は所定の半径を持って折り返されており、引掛り防止装置は、図３に示すようにその自重により制御用移動ケーブル４の折り返し部付近に位置しながら昇降移動する。この時、制御用移動ケーブル４と摺動リング７との間では、制御用移動ケーブル４が昇降移動する際に、その摩擦力により多数の金属製丸ワッシャー７ｂが摺動しながら回転するので、制御用移動ケーブル４は極めて円滑に昇降移動することができる。また、制御用移動ケーブル４は、その下端折り返し部が常時金属製固定ワイヤー５に沿って引掛り防止装置と共に移動するので、昇降路壁や昇降路機器等にぶつかったり、こすれたり、引っ掛ったりすることがない。
【図面の簡単な説明】
【００１７】
【図１】この発明の実施の形態１における昇降機用移動ケーブルの引掛り防止装置を示し、昇降機のかごが下方に位置している場合の側面図である。
【図２】この発明の実施の形態１における昇降機用移動ケーブルの引掛り防止装置を示し、昇降機のかごが上方に位置している場合の側面図である。
【図３】この発明の実施の形態１における昇降機用移動ケーブルの引掛り防止装置の拡大斜視図である。
【図４】この発明の実施の形態１における昇降機用移動ケーブルの引掛り防止装置の要部拡大斜視図である。
【符号の説明】
【００１８】
１  エレベータのかご
２  昇降路
２ａ  昇降路ピット
３  繋ぎ箱（ジョイントボックス）
４  制御用移動ケーブル
５  金属製固定ワイヤー
６  案内リング
６ａ  連結具  
７  摺動リング  
７ａ  金属芯線  
７ｂ  金属製丸ワッシャー
【図１】
2005162372.tif 000003
【図２】
2005162372.tif 000004
【図３】
2005162372.tif 000005
【図４】
2005162372.tif 000006